(57)【特許請求の範囲】
【請求項１】
遊技台ごとに設けられ、遊技媒体を計数する計数部を有する台間装置と前記台間装置と接続された管理装置とで前記台間装置が計数した遊技媒体の計数値を累積した持遊技媒体数を管理する持遊技媒体管理システムであって、
前記台間装置は、
自装置が前記遊技媒体を貸し出す際のレートを特定可能な情報と前記持遊技媒体数を記憶する記憶手段と、
前記記憶手段に記憶したレートを特定可能な情報に対応する持遊技媒体数が存在する場合に、所定の持遊技媒体払出操作に応答して該レートを特定可能な情報に対応する持遊技媒体数を減算しつつ遊技媒体の払出処理を行う払出処理手段と、
所定の記録媒体返却操作がなされた場合に、装置内の記録媒体の記録媒体識別子および前記記憶手段に記憶された前記レートを特定可能な情報及び前記持遊技媒体数の組を前記管理装置へ送信する送信手段と
を備え、
前記管理装置は、
前記台間装置から受信した前記記録媒体識別子についてレートを特定可能な情報ごとに持遊技媒体数を対応付けた記録媒体管理情報を記憶する管理情報記憶手段
を備えたことを特徴とする持遊技媒体管理システム。
【請求項２】
前記台間装置は、
前記記録媒体を受け付けた場合に、該記録媒体の記録媒体識別子に対応付けられたレートを特定可能な情報ごとの持遊技媒体数を前記管理装置に対して要求する要求手段と、
前記要求手段による要求に応答して前記管理装置から送信されるレートを特定可能な情報ごとの持遊技媒体数を前記記憶手段に格納制御する制御手段と
をさらに備え、
前記払出処理手段は、
前記記憶手段に記憶したレートを特定可能な情報に対応する持遊技媒体数が存在しない場合に、所定の持遊技媒体払出操作に応答して他のレートを特定可能な情報に対応する持遊技媒体数を前記記憶手段に記憶した自装置のレートを特定可能な情報の持遊技媒体数に変換し、変換した持遊技媒体数を減算しつつ遊技媒体の払出処理を行う
ことを特徴とする請求項１に記載の持遊技媒体管理システム。
【請求項３】
前記払出処理手段は、
前記記憶手段に記憶したレートを特定可能な情報に対応する持遊技媒体数が存在せず、かつ、あらかじめ設定された払出条件を満たす場合に、所定の持遊技媒体払出操作に応答して他のレートを特定可能な情報に対応する持遊技媒体数を前記記憶手段に記憶した自装置のレートを特定可能な情報の持遊技媒体数に変換し、変換した持遊技媒体数を減算しつつ遊技媒体の払出処理を行う
ことを特徴とする請求項２に記載の持遊技媒体管理システム。
【請求項４】
前記払出条件は、レートを特定可能な情報が異なる場合の払出処理の禁止又はレートを特定可能な情報が異なる場合に変換された持ち遊技媒体数の払出数の制限であることを特徴とする請求項３に記載の持遊技媒体管理システム。
【請求項５】
遊技台ごとに設けられ、遊技媒体を計数する計数部を有する台間装置と前記台間装置と接続された管理装置とで前記台間装置が計数した遊技媒体の計数値を累積した持遊技媒体数を管理する持遊技媒体管理システムにおける持遊技媒体管理方法であって、
前記台間装置が、自装置で前記遊技媒体を貸し出す際のレートを特定可能な情報と前記持遊技媒体数を記憶部に格納する格納工程と、
前記記憶部に記憶したレートを特定可能な情報に対応する持遊技媒体数が存在する場合に、所定の持遊技媒体払出操作に応答して該レートを特定可能な情報に対応する持遊技媒体数を減算しつつ遊技媒体の払出処理を行う払出処理工程と、
所定の記録媒体返却操作がなされた場合に、装置内の記録媒体の記録媒体識別子および前記記憶部に記憶された前記レートを特定可能な情報及び前記持遊技媒体数の組を前記台間装置が前記管理装置へ送信する送信工程と、
前記管理装置が、前記台間装置から受信した前記記録媒体識別子についてレートを特定可能な情報ごとに持遊技媒体数を対応付けた記録媒体管理情報を管理情報記憶部に格納する格納工程と
を含んだことを特徴とする持遊技媒体管理方法。
【発明の詳細な説明】
【技術分野】
【０００１】
この発明は、遊技台ごとに設けられ、遊技媒体を計数する計数部を有する台間装置と前記台間装置と接続された管理装置とで前記台間装置が計数した遊技媒体の計数値を累積した持遊技媒体数を管理する持遊技媒体管理システムおよび持遊技媒体管理方法に関し、特に、各台計数方式を採用した場合に、非会員の一般遊技者に対しても台移動を可能とするとともに、遊技店の営業形態に合わせて台移動の可否を柔軟に変更することができる持遊技媒体管理システムおよび持遊技媒体管理方法に関するものである。
【背景技術】
【０００２】
従来から、パチンコ店などの遊技店に設置されるパチンコ機やパチスロ機といった遊技台と並設され、遊技台において遊技者が獲得した遊技媒体を計数する各台計数方式を行う台間装置が知られている。
【０００３】
また、計数した遊技媒体の数量（以下、「持玉」と記載する）を、遊技店の会員となった遊技者へ配布される会員カードへ関連付ける会員カードシステムも知られてきた。かかる会員カードシステムでは、会員カードに関連付けられた持玉を、翌日以降には、「貯玉」として取り扱う。
【０００４】
ところで、遊技店においては、交換レートが異なる複数の遊技台コーナーを設けるケースが増加してきている。たとえば、パチンコ玉を１玉４円で払出す４円遊技台コーナーとパチンコ玉を１玉１円で払出す１円遊技台コーナーとを併設する遊技店も見受けられる。
【０００５】
ここで、交換レートが異なる複数の遊技台コーナーを設けると、遊技者が、遊技台コーナーにまたがる台移動を行うといった不正行為が問題となる。このため、複数の遊技台コーナーを設けた場合に、遊技台コーナーにまたがる台移動を禁止する遊技店もあった。
【０００６】
しかし、台移動を禁止すると遊技者の利便性が損なわれるため、上記した会員カードシステムの「貯玉」機能を用いて異交換レート間の台移動を可能とする技術が提案されている。たとえば、特許文献１には、遊技者が獲得した持玉を当日中に貯玉へ変換し、変換した貯玉を異なる交換レートへ振り替える技術が開示されている。
【先行技術文献】
【特許文献】
【０００７】
【特許文献１】特開２００８−１６１５７４号公報
【発明の概要】
【発明が解決しようとする課題】
【０００８】
しかしながら、特許文献１の技術は、会員カードを前提とした技術であるため、会員以外の一般客へ配布されるビジターカードへの適用が困難であるという問題があった。その理由は、そもそも「貯玉」という概念は、会員に対する特典であり、ビジターカードには、かかる特典が認められていないためである。
【０００９】
また、特許文献１の技術は、異交換レート間の台移動を可能とする技術であるため、遊技店の営業形態に合わせて異交換レート間の台移動を認めたり、認めなかったりという柔軟な運用が行いにくいという問題もあった。
【００１０】
これらのことから、非会員の一般遊技者に対しても台移動を可能とするとともに、遊技店の営業形態に合わせて台移動の可否を柔軟に変更することができる計数値管理システムあるいは計数値管理方法をいかにして実現するかが大きな課題となっている。
【００１１】
本発明は、上述した従来技術による問題点を解消するためになされたものであって、非会員の一般遊技者に対しても台移動を可能とするとともに、遊技店の営業形態に合わせて台移動の可否を柔軟に変更することができる持遊技媒体管理システムおよび持遊技媒体管理方法を提供することを目的とする。
【課題を解決するための手段】
【００１２】
上述した課題を解決し、目的を達成するため、本発明は、遊技台ごとに設けられ、遊技媒体を計数する計数部を有する台間装置と前記台間装置と接続された管理装置とで前記台間装置が計数した遊技媒体の計数値を累積した持遊技媒体数を管理する持遊技媒体管理システムであって、前記台間装置は、自装置が前記遊技媒体を貸し出す際のレートを特定可能な情報と前記持遊技媒体数を記憶する記憶手段と、前記記憶手段に記憶したレートを特定可能な情報に対応する持遊技媒体数が存在する場合に、所定の持遊技媒体払出操作に応答して該レートを特定可能な情報に対応する持遊技媒体数を減算しつつ遊技媒体の払出処理を行う払出処理手段と、所定の記録媒体返却操作がなされた場合に、装置内の記録媒体の記録媒体識別子および前記記憶手段に記憶された前記レートを特定可能な情報及び前記持遊技媒体数の組を前記管理装置へ送信する送信手段とを備え、前記管理装置は、前記台間装置から受信した前記記録媒体識別子についてレートを特定可能な情報ごとに持遊技媒体数を対応付けた記録媒体管理情報を記憶する管理情報記憶手段を備えたことを特徴とする。
【００１３】
また、本発明は、上記の発明において、前記台間装置は、前記記録媒体を受け付けた場合に、該記録媒体の記録媒体識別子に対応付けられたレートを特定可能な情報ごとの持遊技媒体数を前記管理装置に対して要求する要求手段と、前記要求手段による要求に応答して前記管理装置から送信されるレートを特定可能な情報ごとの持遊技媒体数を前記記憶手段に格納制御する制御手段とをさらに備え、前記払出処理手段は、前記記憶手段に記憶したレートを特定可能な情報に対応する持遊技媒体数が存在しない場合に、所定の持遊技媒体払出操作に応答して他のレートを特定可能な情報に対応する持遊技媒体数を前記記憶手段に記憶した自装置のレートを特定可能な情報の持遊技媒体数に変換し、変換した持遊技媒体数を減算しつつ遊技媒体の払出処理を行うことを特徴とする。
【００１４】
また、本発明は、上記の発明において、前記払出処理手段は、前記記憶手段に記憶したレートを特定可能な情報に対応する持遊技媒体数が存在せず、かつ、あらかじめ設定された払出条件を満たす場合に、所定の持遊技媒体払出操作に応答して他のレートを特定可能な情報に対応する持遊技媒体数を前記記憶手段に記憶した自装置のレートを特定可能な情報の持遊技媒体数に変換し、変換した持遊技媒体数を減算しつつ遊技媒体の払出処理を行うことを特徴とする。
【００１５】
また、本発明は、上記の発明において、前記払出条件は、レートを特定可能な情報が異なる場合の払出処理の禁止又はレートを特定可能な情報が異なる場合に変換された持ち遊技媒体数の払出数の制限であることを特徴とする。
【００１６】
また、本発明は、遊技台ごとに設けられ、遊技媒体を計数する計数部を有する台間装置と前記台間装置と接続された管理装置とで前記台間装置が計数した遊技媒体の計数値を累積した持遊技媒体数を管理する持遊技媒体管理システムにおける持遊技媒体管理方法であって、前記台間装置が、自装置で前記遊技媒体を貸し出す際のレートを特定可能な情報と前記持遊技媒体数を記憶部に格納する格納工程と、前記記憶部に記憶したレートを特定可能な情報に対応する持遊技媒体数が存在する場合に、所定の持遊技媒体払出操作に応答して該レートを特定可能な情報に対応する持遊技媒体数を減算しつつ遊技媒体の払出処理を行う払出処理工程と、所定の記録媒体返却操作がなされた場合に、装置内の記録媒体の記録媒体識別子および前記記憶部に記憶された前記レートを特定可能な情報及び前記持遊技媒体数の組を前記台間装置が前記管理装置へ送信する送信工程と、前記管理装置が、前記台間装置から受信した前記記録媒体識別子についてレートを特定可能な情報ごとに持遊技媒体数を対応付けた記録媒体管理情報を管理情報記憶部に格納する格納工程とを含んだことを特徴とする。
【発明の効果】
【００１７】
本発明によれば、遊技台ごとに設けられ、遊技媒体を計数する計数部を有する台間装置と台間装置と接続された管理装置とで台間装置が計数した遊技媒体の計数値を累積した持遊技媒体数を管理する持遊技媒体管理システムであって、台間装置は、自装置が遊技媒体を貸し出す際のレートを特定可能な情報と持遊技媒体数を記憶する記憶手段と、記憶手段に記憶したレートを特定可能な情報に対応する持遊技媒体数が存在する場合に、所定の持遊技媒体払出操作に応答して該レートを特定可能な情報に対応する持遊技媒体数を減算しつつ遊技媒体の払出処理を行う払出処理手段と、所定の記録媒体返却操作がなされた場合に、装置内の記録媒体の記録媒体識別子および記憶手段に記憶されたレートを特定可能な情報及び持遊技媒体数の組を管理装置へ送信する送信手段とを備え、管理装置は、台間装置から受信した記録媒体識別子についてレートを特定可能な情報ごとに持遊技媒体数を対応付けた記録媒体管理情報を記憶する管理情報記憶手段を備えることとしたので、一枚の記録媒体に複数のレートを特定可能な情報の持ち遊技媒体数を関連付け、これにより非会員の一般遊技客が同じ記録媒体を用いてレートを特定可能な情報の異なる遊技台を用いて遊技することが可能となる。
【００１８】
また、本発明によれば、台間装置は、記録媒体を受け付けた場合に、該記録媒体の記録媒体識別子に対応付けられたレートを特定可能な情報ごとの持遊技媒体数を管理装置に対して要求する要求手段と、要求手段による要求に応答して管理装置から送信されるレートを特定可能な情報ごとの持遊技媒体数を記憶手段に格納制御する制御手段とをさらに備え、払出処理手段は、記憶手段に記憶したレートを特定可能な情報に対応する持遊技媒体数が存在しない場合に、所定の持遊技媒体払出操作に応答して他のレートを特定可能な情報に対応する持遊技媒体数を記憶手段に記憶した自装置のレートを特定可能な情報の持遊技媒体数に変換し、変換した持遊技媒体数を減算しつつ遊技媒体の払出処理を行うこととしたので、非会員の一般遊技客が台移動を行う際にレートを特定可能な情報の異なる持遊技媒体を用いて再遊技を行うことが可能となる。
【図面の簡単な説明】
【００２２】
【図１】図１は、本発明にかかる計数値管理システムの概要を示す図である。
【図２】図２は、本実施例にかかる計数値管理システムの構成を示すブロック図である。
【図３】図３は、台間装置の外観図である。
【図４】図４は、本実施例にかかる店内システムのシステム構成図である。
【図５】図５は、カード管理情報の一例を示す図である。
【図６】図６は、カード情報およびカード残額の一連の流れを示す図である。
【図７】図７は、本実施例にかかるカード挿入時処理手順を示すフローチャートである。
【図８】図８は、本実施例にかかる払出処理手順を示すフローチャートである。
【図９】図９は、本実施例にかかる払出処理手順を示すフローチャートである。
【図１０】図１０は、本実施例にかかるカード返却時処理手順を示すフローチャートである。
【図１１】図１１は、カード管理情報の一例を示す図である。
【図１２】図１２は、遊技台情報の一例を示す図である。
【発明を実施するための形態】
【００２３】
以下に添付図面を参照して、本発明にかかる計数値管理システムの好適な実施例を詳細に説明する。なお、以下では、本発明にかかる計数値管理システムの概要について図１を用いて説明した後に、本発明にかかる計数値管理システムについての実施例を図２〜図１０を用いて説明することとする。
【００２４】
今回の本発明にかかる計数値管理システムでは、ビジターカードに持玉の数をレート毎に保持することによって、１円持玉によって４円遊技台での再遊技ができる等、持玉のレートとは異なるレートの遊技台での再遊技ができるとともに、遊技店によって再遊技の制限運用ができる点に主たる特徴がある。
【００２５】
図１は、本発明にかかる計数値管理システムの概要を示す図である。同図に示すように、パチンコ店には、各台間装置で発行されるカード書込み時の持玉の残数をカード管理情報として管理している管理装置と、台間装置Ａ〜Ｃとが接続されている。
【００２６】
各台間装置には、レートの異なる遊技台が併設されているものとする。同図に示すように、台間装置Ａ〜Ｃには、遊技台Ａ〜Ｃがそれぞれ併設されており、遊技台Ａおよび遊技台Ｂは１円遊技台で、遊技台Ｃは４円遊技台であるとする。
【００２７】
ここで、台番号が１００１である遊技台Ｂにて遊技を行った非会員である遊技者が、遊技終了時に、獲得したパチンコ玉の残数（以下、「持玉」と記載する）が１０００個であった場合、カードＩＤが１０１であるビジターカードには、台間装置Ｂによって以下のように登録される。
【００２８】
台間装置Ｂは、カードＩＤ：１０１のビジターカードに、遊技台Ｂのレートである１円に対応付けてレート毎管理数を１０００個と書込み、レート毎に管理数を保持して(同図の(１)参照)、ビジターカードを返却する。
【００２９】
その際、台間装置Ｂは、通信接続される管理装置に、ビジターカードのカードＩＤ：１０１、持玉の残数（以下、「持玉数」と記載する）：１０００個、台番号：１００１および遊技台のレート：１円を送信する。一方、管理装置では、受信したカードＩＤに対応付けて持玉数を、台番号および遊技台のレートとともに、カード管理情報として記憶管理する（同図の（２）参照）。
【００３０】
つづいて、遊技者が、遊技台Ｃに台移動して（同図の（３）参照）、カードＩＤ：１０１のビジターカードを挿入した場合について説明する。ここで、挿入されたビジターカードには、１円の管理数１０００個が、また、４円の管理数０個が記憶されている。
【００３１】
このビジターカードによって再遊技をする場合に、４円のレート毎管理数は０個であるため、１円のレート毎管理数１０００個から引出して、遊技台Ｃのレートである１玉４円に換算して、パチンコ玉の払出を行うことができる（同図の（４）参照）。
【００３２】
具体的には、引出元のレートに管理数を乗じて、さらに、払出を行う遊技台のレートで割ることにより、遊技台Ｃで払出を行うことができる玉数２５０個（２５０個＝１円×１０００個÷４円）を算出して、遊技台Ｃでは、２５０個払出を行う。
【００３３】
一方、遊技者が、レートが１円である遊技台Ａに台移動して（同図の（３）’参照）、カードＩＤ：１０１のビジターカードを挿入した場合は、ビジターカードに記憶された１円の管理数１０００個を、そのまま利用して払出を行う（同図の（４）’参照）。
【００３４】
また、計数値管理システムでは、別の遊技台へ台移動して、ビジターカードに記憶されたすべてのレート毎管理数を引出して再遊技を認めると、遊技店内での遊技者の持玉遊技による長期滞留により収益率が低下する等の理由から、台移動をして再遊技をする際に制限をかけたいという遊技店側のニーズにも対応する。
【００３５】
たとえば、遊技店が、台移動をして再遊技を行う際に、持玉数を計数した遊技台での再遊技であれば、その遊技台で計数された持玉数分までは再遊技を可能とすると設定した場合について説明する。
【００３６】
カードＩＤ：１０１のビジターカードを挿入された台間装置Ｂは、ビジターカードに記憶されているカードＩＤおよび台番号に基づいて管理装置に記憶管理されているカード管理情報のうち、カードＩＤ：１０１で、かつ、遊技台Ｂの持玉数を取得する。
【００３７】
そして、取得した持玉数は１０００個であることから、管理装置では、カードＩＤ：１０１のビジターカードに記憶されたレート毎管理数を引出して払出を行う時に、１０００個を超えないような判定をする。
【００３８】
このように、非会員の一般遊技者に対しても台移動を可能とするとともに、遊技店の営業形態に合わせて台移動の可否を柔軟に変更することができる計数値管理システムおよび計数値管理方法を提供することができる。以下では、本発明にかかる計数値管理システムについての実施例を詳細に説明する。
【実施例】
【００３９】
以下に添付図面を参照して、本発明にかかる計数値管理システムについての実施例を詳細に説明する。まず、本実施例にかかる計数値管理システムの構成について図２を用いて説明する。図２は、本実施例にかかる計数値管理システムの構成を示すブロック図である。
【００４０】
ここで、台間装置１０の概要構成を説明するために、図３を用いて台間装置１０の外観について説明しておく。図３は、台間装置１０の外観図である。なお、同図には、台間装置１０が併設されたパチンコ機３０を破線で示している。
【００４１】
図３に示すように、台間装置１０は、台間装置１０の状態（正常、エラー）等を表示する状態表示部２１と、パチンコ玉の払出のための各種紙幣を受け付ける紙幣挿入部２２と、従業員が携帯するリモコン（携帯端末装置）からの指示を受け付けるリモコン受光部２３とを備えている。
【００４２】
また、台間装置１０は、払出要求を行う払出ボタンや引出元レートを選択するボタンおよびレート毎管理数やプリペイド価値の残数の表示を行う操作部／表示部２４を備えている。
【００４３】
さらに、台間装置１０は、パチンコ玉を払出す際に、パチンコ玉を払出すノズルを備えた持玉払出部２５と、会員カードやレート毎管理数が記憶されているビジターカード等を受け付けるカード挿入部２６とを備えている。
【００４４】
また、台間装置１０は、持玉を計数する玉計数部１４と、持玉を貯留する玉貯留部２８と、玉貯留部２８の前面には、持玉の計数結果（持玉数）の表示を行う表示部２９を備えている。
【００４５】
たとえば、パチンコ機３０が特賞状態の際などには、台間装置１０は、同図に示すパチンコ機３０の下皿３１から持玉を玉貯留部２８へ誘導し、玉計数部１４で持玉の数量を計数する。なお、計数後のパチンコ玉は、図示しないパチンコ玉回収経路へ排出される。
【００４６】
また、操作部／表示部２４の払出ボタンが押下されたら、紙幣挿入部２２へ挿入された各種紙幣の残額、カード挿入部２６に挿入されたカードに記憶されたレート毎管理数、プリペイド価値の残数、または、持玉数のうち、いずれかを用いて、パチンコ玉を持玉払出部２５経由でパチンコ機３０へ投出する。
【００４７】
ここで、各種紙幣の残額によって払出が行われた際には、残額から払出されたパチンコ玉に相当する額を減額して、レート毎管理数によって払出が行われた際には、引出元レートのレート毎管理数から減算し、プリペイド価値の残数によって払出が行われた際には、残数から減算し、それぞれの値が操作部／表示部２４に再表示される。
【００４８】
一方、持玉によって払出が行われた際には、持玉数から払出されたパチンコ玉の数を引いた値を持玉数として、表示部２９に新たな持玉数が再表示される。
【００４９】
図２の説明に戻り、台間装置１０の構成について説明する。台間装置１０は、カード読取部１１と、操作部１２と、カード書込部１３と、玉計数部１４と、通信Ｉ／Ｆ（インターフェース）１５と、記憶部１６と、制御部１７とを備えている。なお、本実施例では、カード読取部１１とカード書込部１３とを個々に記載しているが、これは一体となった「カード読書き部」となってもよい。
【００５０】
また、制御部１７は、カード残額換算部１７ａと、払出処理部１７ｂと、再遊技判定部１７ｃと、終了処理部１７ｄとをさらに備えており、記憶部１６は、レート情報１６ａと、カード残額１６ｂと、持玉数１６ｃとを記憶する。なお、図２では、図３で説明した各構成要素の中から台間装置１０の特徴点を説明するために必要な構成要素のみを抜粋して示している。
【００５１】
カード読込部１１は、カード挿入部２６に挿入されたビジターカードに関連付けられた、カードＩＤやレート毎管理数を読取って、カード残額換算部１７ａへ受け渡す処理を行う処理部である。
【００５２】
操作部１２は、払出要求操作を行う払出ボタン、いずれかのレートのカード残額１６ｂから引出して払出を行うかを指示選択する引出元レート選択ボタンおよびカード返却要求操作を行う返却ボタンを備えている。
【００５３】
操作部１２の払出ボタンが押下されて払出要求されたら、払出処理部１７ｂへ処理を受け渡し、また、カード残額１６ｂによって払出が行われる際、引出元レート選択ボタンによって選択された引出元レートを払出処理部１７ｂへ処理を受け渡し、カード返却ボタンが押下されてカード返却要求されたら、終了処理部１７ｄへ処理を受け渡す。
【００５４】
なお、ここでは、いずれかのレートのカード残額１６ｂから引出して払出を行うかを指示選択する引出元レート選択ボタンを設けて、遊技者が選択するようにした。しかし、設定ファイル等にあらかじめ設定しておいてもよい。
【００５５】
たとえば、記憶部１６等にあらかじめ引出元レートのカード残額１６ｂから引出す優先順位をレート毎に設定しておき、優先順位の順にレートに対応するカード残額１６ｂがあったならば、そのレートに対応するカード残額１６ｂから引出すようにしてもよい。
【００５６】
カード書込部１３は、遊技終了時に終了処理部１７ｄで算出したレート毎管理数を、レート別にビジターカードに書込む処理を行う処理部である。玉計数部１４は、パチンコ機３０が特賞状態の際等に、遊技者が獲得した持玉を計数する。
【００５７】
通信Ｉ／Ｆ１５は、ＬＡＮカード等の通信デバイスで構成され、ＬＡＮ等のネットワーク経由で、たとえば、遊技終了時に台間装置１０から管理装置へカード管理情報を送信する等、台間装置１０と管理装置との間のデータ送受信を行う。
【００５８】
記憶部１６は、不揮発性メモリやハードディスクドライブといった記憶デバイスで構成される記憶部であり、台間装置１０に併設されるパチンコ機３０のレート情報１６ａ、ビジターカードから読取ったカード残額１６ｂおよび玉計数部１４で計数した持玉数１６ｃを記憶する。
【００５９】
カード残額換算部１７ａは、カード読取部１１で読取ったビジターカードに関連付けられたレート毎管理数を、レート情報１６ａによって換算し、カード残額１６ｂを保持する処理を行う処理部である。
【００６０】
払出処理部１７ｂは、操作部１２から払出要求を受付けたら、遊技者が獲得した持玉数１６ｃがある場合は持玉数１６ｃによって、持玉数１６ｃがない場合はカード残額１６ｂによってパチンコ玉の払出処理を行う処理部である。
【００６１】
さらに、払出処理部１７ｂは、持玉数１６ｃによって払出を行った場合は、持玉数１６ｃから払出した玉数を減算し、カード残額１６ｂによって払出を行った場合は、引出元レートのカード残額１６ｂから払出した玉数を減算する処理を併せて行う。
【００６２】
また、払出処理部１７ｂは、あらかじめ遊技店が設定しておく台移動をして再遊技をする場合の制限を満たしているかの判定をするために、再遊技判定部１７ｃに問い合わせを行う処理を併せて行う。
【００６３】
再遊技判定部１７ｃは、管理装置２０にあらかじめ遊技店の従業員によって設定されている台移動して再遊技をする場合の制限の範囲内であるか否かを問い合わせ、再遊技時に、払出を行ってよいか否かの判定処理を行う処理部である。
【００６４】
たとえば、管理装置２０では、計数したパチンコ機３０での再遊技であれば、計数したパチンコ機３０で計数した持玉数までは、再遊技可能であると判定できる条件を記載した図示しない「再遊技制限設定情報」を記憶管理する。
【００６５】
そして、遊技店の従業員等によって条件を容易に設定の変更および追加ができることとする。それによって、「台移動して再遊技を行う場合は、一律２０００個まで再遊技可能」と設定することもできる。
【００６６】
さらに、「同一レートへの台移動は可能、かつ、異なるレートへの台移動は不可」と設定することで、上記の設定の組み合わせによる判定を行い、複雑な条件による判定を行うことができる。
【００６７】
また、それぞれの再遊技制限設定情報に、判定時にその条件を含むか否かを示す、「実行フラグ」項目をさらに備えることによって、遊技店の運営形態に応じた柔軟な対応をすることができる。
【００６８】
たとえば、遊技店が「本日は、台移動して再遊技を行う際の、再遊技玉数の制限なし」といったイベントを行う際には、上述した、「台移動して再遊技を行う場合は、一律２０００個まで再遊技可能」の条件の実行フラグをオフにするだけでよく、容易なメンテナンスによって、柔軟に設定変更することができる。
【００６９】
終了処理部１７ｄは、操作部１２からカード返却要求を受付けたら、カードＩＤ、持玉数１６ｃ、台番号およびレート情報１６ａをカード管理情報として、管理装置へ送信する処理を行う処理部である。
【００７０】
また、終了処理部１７ｄは、カード残額１６ｂを、カード残額１６ｂに対応するレートに換算してレート毎管理数を算出し、レート情報１６ａに対応するレート毎管理数に持玉数１６ｃを加算して、レート毎管理数を算出する処理を行う処理部である。
【００７１】
なお、カード残額換算部１７ａは、ビジターカードに関連付けられたレート毎管理数を、レート情報１６ａによって換算し、カード残額１６ｂを保持するようにしたが、レート毎管理数をそのまま保持し、払出処理を行う際に、逐次換算してレート毎管理数から減算してもよい。
【００７２】
つづいて、本実施例にかかる遊技店の店内システムのシステム構成について図４を用いて説明する。図４は、本実施例にかかる店内システムのシステム構成図である。
【００７３】
同図に示すように、遊技店に設置された管理装置２０には、ＬＡＮ（Local  Area  Network）等のネットワーク経由で、島コントローラ４０と、精算機６０と、景品管理装置７０と、会員カード端末機８０とが接続されている。
【００７４】
また、島コントローラ４０には、台間装置１０と、パチンコ機３０とが接続されている。なお、同図には、１台の島コントローラ４０のみを示しているが、管理装置２０には所定数の島コントローラ４０が接続されるものとする。
【００７５】
台間装置１０は、島コントローラ４０と各パチンコ機３０との間に介在し、ひとつの島コントローラ４０に対して、所定数の台間装置１０が接続されるものとする。管理装置２０は、カード管理情報５０を管理装置２０が備えるデータベースに記憶して、カード毎およびパチンコ機３０毎に持玉数を管理している。
【００７６】
島コントローラ４０は、周囲を通路に囲まれたスペース（遊技島）に設けられた一群のパチンコ機３０および台間装置１０を束ねる中継装置である。パチンコ機３０は、パチンコ玉を遊技領域に発射して遊技者がパチンコ遊技を行う装置であり、本実施例では、カード対応のパチンコ機３０であるものとしている。
【００７７】
また、ひとつの島コントローラ４０に接続されるパチンコ機３０は、レートが異なるパチンコ機３０が混在してもよいが、一般的な遊技店では、ひとつの遊技島には、同一のレートのパチンコ機３０が設置されている。
【００７８】
精算機６０は、カードの残額が残っているカードが挿入されたら、残額に相当する現金の払出を行い、カードの精算を行う。景品管理装置７０は、遊技店内の景品交換カウンタに併設された景品交換用の端末装置であり、図示しない交換玉数管理情報を用いて獲得玉と景品との交換を管理する。この交換玉数管理情報は、景品毎にその景品との交換に要する交換玉数を対応付けて記憶している。
【００７９】
また、遊技者は、景品交換カウンタへカードを持参し、景品管理装置７０にビジターカードを挿入したり、景品管理装置７０に併設された会員カード端末機８０にカードをかざしたりすることで、残数に応じた景品を受け取ることができる。
【００８０】
その際、景品交換カウンタ内の従業員が、遊技者により指定された景品に対応する交換ボタンを押下し、景品管理装置７０は、当該景品に相当する交換玉数を獲得玉から減算する交換制御を実行させ、その後に従業員による手作業で遊技者に受け渡す。
【００８１】
このように、遊技店には、会員をはじめ遊技者に対してサービスを提供するシステムとして、会員カードを取り扱う店内機器（例えば、台間装置１０や景品管理装置７０等）とこれらの店内機器を管理する図示しない会員管理装置とを含んで構成される会員管理システム、そして、カードを取り扱う店内機器（例えば、台間装置１０や精算機６０等）を含んで構成されるカードシステム、さらには、遊技台の台データを取り扱う店内機器（例えば、台間装置１０やパチンコ機３０等）を含んで構成されるシステムが併存している。
【００８２】
つぎに、管理装置２０に備えるカード管理情報５０の一例、ビジターカードに記憶されるカード情報の一例およびカード情報をレート情報１６ａによって換算し、カード残額１６ｂを保持する一連の処理について図５および図６を用いて説明する。
【００８３】
まず、図５は、カード管理情報５０の一例を示す図である。同図に示すように、カード管理情報５０は、「カードＩＤ」項目と、カードＩＤに対応する「持玉数」項目と、どのパチンコ機３０で獲得した持玉かを示す「台番号」項目と、台番号に対応するパチンコ機３０の「レート」項目とを含んでいる。
【００８４】
たとえば、カードＩＤ３０１であるカードを有する遊技者が台番号１００１の１円遊技台で獲得したパチンコ玉によって遊技をして、遊技終了時に、獲得したパチンコ玉の残数が１０００個であった場合、カード管理情報５０には「カードＩＤ：３０１、持玉数：１０００個、台番号：１００１、レート：１円」と記憶される（同図の１行目参照）。
【００８５】
その後、カードＩＤ３０１のカードをもって台番号１００２の１円遊技台に台移動して再遊技を行った際、持玉数が２０００個であったならば、カード管理情報５０には「カードＩＤ：３０１、持玉数：２０００個、台番号：１００２、レート：１円」と記憶される（同図の３行目参照）。
【００８６】
このように、管理装置２０は、カードＩＤに関連付けて、台番号に対するパチンコ機３０で遊技をした際、パチンコ機３０で獲得したパチンコ玉の残数すなわち持玉数とパチンコ機３０のレートととともに、カード管理情報５０として記憶管理する。
【００８７】
つづいて、ビジターカードに記憶されるカード情報の一例および台間装置１０でレート情報１６ａによってカード情報を換算し、カード残額１６ｂを保持する処理について図６を用いて説明する。図６は、カード情報およびカード残額１６ｂの一連の流れを示す図である。
【００８８】
同図（Ａ）に示すように、カード情報には、「カードＩＤ」に対応付けられて、レート毎に持玉数の合計値を管理するために、「レート」項目と、「レート毎管理数」項目とを含んでいる。
【００８９】
たとえば、カードＩＤ３０１であるビジターカードを有する遊技者が１円遊技台で獲得した持玉数が１０００個、その後台移動を行い、他の１円遊技台で獲得した持玉数が２０００個、さらに、台移動して２円遊技台で獲得した持玉数が１００個であった場合について説明する。
【００９０】
この場合、図５で示したカード管理情報５０には、それぞれのパチンコ機３０で獲得した持玉数を図５の１行目、３行目および５行目に示すように、パチンコ機３０毎に記憶されるが、カード情報には、持玉数をパチンコ機３０のレート毎に合計値を算出して、レート毎管理数に記憶する。
【００９１】
したがって、図６にもどり、同図（Ａ）に示すように、レート１円に対応するレート毎管理数は、３０００個（１０００個＋２０００個）と記憶され、レート２円に対応するレート毎管理数は、１００個と記憶される。
【００９２】
そして、このビジターカードによって、台移動を行って再遊技する場合には、再遊技を行うパチンコ機３０のレートによってカード情報のレート毎管理数を換算し、カード残額１６ｂとして、カード残額１６ｂから払出された個数を引出すこととなる。
【００９３】
また、ビジターカードによって、たとえば４円遊技台にて再遊技をする際に、カードに記憶された４円のレート毎管理数が０個であったとしても、異なるレート毎管理数を有する場合は、異なるレートのレート毎管理数から引出して払出を行うことができる。
【００９４】
具体的には、同図（Ｂ）に示すように、４円遊技台で再遊技をする際には、１円のレート毎管理数は７５０個（３０００個÷４円×１円）へ、２円のレート毎管理数は５０個（１００個÷４円×２円）へと換算される。
【００９５】
そして、払出を行う際に、引出元が１円のカード残額１６ｂから２５０個引出して払出を行い、遊技終了時の持玉数が１０００個であった場合には、同図（Ｃ）に示すように、引出元１円のカード残額１６ｂから２５０個を減算して、５００個としておき、引出元４円のカード残額１６ｂは、持玉数を加算して１０００個とする。
【００９６】
さらに、カード返却する際に、パチンコ機３０のレートに換算されていたカード残額１６ｂを、それぞれのレートに対応するレート毎管理数へ換算し直し、換算し直したレート毎管理数に基づいてカードのカード情報を更新する。
【００９７】
ここでは、１円のカード残額１６ｂは２０００個（５００個×４円÷１円）へ、２円のカード残額１６ｂは１００個（５０個×４円÷２円）へと換算され、同図（Ｄ）に示すようなカード情報に更新されて、返却されることとなる。
【００９８】
つぎに、台間装置１０が実行するカード挿入時の処理手順について図７を用いて説明する。図７は、本実施例にかかるカード挿入時処理手順を示すフローチャートである。
【００９９】
同図に示すように、台間装置１０では、カード挿入部２６にビジターカードが挿入されたら（ステップＳ１０１）、カード読取部１１によってカード情報を読込む（ステップＳ１０２）。
【０１００】
そして、台間装置１０は、記憶部１６のレート情報１６ａを取得し（ステップＳ１０３）、カード残額換算部１７ａでは、ビジターカードに関連付けられたレート毎管理数を、レート情報１６ａによって換算する（ステップＳ１０４）。
【０１０１】
その後、台間装置１０では、ステップＳ１０４で換算した値をカード残額１６ｂにセットして（ステップＳ１０５）、カード挿入時の処理は終了し、遊技者が遊技開始できることとなる。
【０１０２】
つづいて、台間装置１０が実行する払出処理時に行われる手順について図８および図９を用いて説明する。図８および図９は、本実施例にかかる払出処理手順を示すフローチャートである。
【０１０３】
まず、図８に示すように、遊技者によって操作部１２の払出ボタンが押下されて払出要求されたら、払出処理部１７ｂでは、持玉数１６ｃが０個であるか否かを判定する（ステップＳ２０１）。
【０１０４】
そして、払出処理部１７ｂで、持玉数１６ｃが０個であると判定した場合には（ステップＳ２０１：Ｙｅｓ）、カード残額１６ｂから払出処理を行う（ステップＳ２０２）。一方、払出処理部１７ｂで、持玉数１６ｃが０個ではないと判定した場合には（ステップＳ２０１：Ｎｏ）、持玉数１６ｃから払出処理を行う（ステップＳ２０３）。
【０１０５】
つぎに、図９を用いて、カード残額１６ｂから払出処理を行う手順について説明する。同図に示すように、台間装置１０は、操作部１２に備える引出元レート選択ボタンによって選択された引出元レートを取得する（ステップＳ３０１）。
【０１０６】
そして、再遊技判定部１７ｃでは、管理装置２０にあらかじめ設定されている再遊技をする場合の制限が遊技可能であるか否かを問い合わせ、払出を行ってよいか否かの判定処理を行う（ステップＳ３０２）。
【０１０７】
再遊技の可否判定で、再遊技が可能であった場合には（ステップＳ３０２：Ｙｅｓ）、払出処理部１７ｂでは、引出元レートのカード残額１６ｂが、払出要求数より多いか否かを判定する（ステップＳ３０３）。
【０１０８】
そして、払出処理部１７ｂは、引出元レートのカード残額１６ｂが、払出要求数以上であった場合には（ステップＳ３０３：Ｙｅｓ）、払出が行えると判定して、払出要求数のパチンコ玉の払出を行う（ステップＳ３０４）。
【０１０９】
その後、払出処理部１７ｂでは、引出元レートのカード残額１６ｂから払出要求数を減算して、最新のカード残額１６ｂを算出して（ステップＳ３０５）、カード残額１６ｂによる払出処理を終了する。
【０１１０】
一方、再遊技の可否判定で、再遊技が不可であると判断された場合には（ステップＳ３０２：Ｎｏ）、その旨を操作部／表示部２４に報知して（ステップＳ３０６）、カード残額１６ｂによる払出処理を終了する。
【０１１１】
また、引出元レートのカード残額１６ｂが、払出要求数より少ない場合には（ステップＳ３０３：Ｎｏ）、カード残額１６ｂによる払出ができないと判定して、その旨を操作部／表示部２４に報知して（ステップＳ３０６）、カード残額１６ｂによる払出処理を終了する。
【０１１２】
つぎに、台間装置１０が実行するカード返却時の処理手順について図１０を用いて説明する。図１０は、本実施例にかかるカード返却時処理手順を示すフローチャートである。
【０１１３】
同図に示すように、台間装置１０は、操作部１２に備える返却ボタンによってカード返却要求操作が行われたら（ステップＳ４０１）、記憶部１６に記憶された持玉数１６ｃを取得する（ステップＳ４０２）。
【０１１４】
そして、終了処理部１７ｄでは、持玉数１６ｃが１個以上あるか否かを判定し（ステップＳ４０３）、持玉数１６ｃが１個以上あった場合には（ステップＳ４０３：Ｙｅｓ）、持玉数１６ｃをカード管理情報に登録するために、管理装置２０へ持玉数１６ｃを送信して（ステップＳ４０４）、持玉数１６ｃを、レート情報１６ａに対応するカード残額１６ｂに加算する（ステップＳ４０５）。
【０１１５】
一方、終了処理部１７ｄは、持玉数１６ｃがなかった場合には（ステップＳ４０３：Ｎｏ）、カード管理情報に登録する必要なしと判定して、ステップＳ４０６へ処理を移行する。
【０１１６】
そして、終了処理部１７ｄは、カード残額１６ｂを、レート毎管理数に換算して（ステップＳ４０６）、カード書込部１３では、換算したすべてのレートのレート毎管理数を、カードに書込む（ステップＳ４０７）。
【０１１７】
その後、台間装置１０は、最新のレート毎管理数が書込まれたカードを返却して（ステップＳ４０８）、カード返却時処理を終了する。
【０１１８】
上述してきたように、本実施例では、管理装置２０で、カードＩＤおよび持玉数に関連付けて台番号およびレートを記憶管理するようにし、台間装置１０では、ビジターカードに持玉の数をレート毎に書込むようにすることによって、非会員の一般遊技者に対しても台移動を可能とするとともに、遊技店の営業形態に合わせて台移動の可否を柔軟に変更することができる。
【０１１９】
なお、本発明請求項記載の台間装置は台間装置１０、管理装置は管理装置２０、送信手段は終了処理部１７ｄ、管理情報記憶手段はカード管理情報５０、記録媒体書込手段はカード書込部１３に相当するものである。
【０１２０】
ところで、これまで本発明の実施例について説明してきたが、本発明は上記した実施例以外にも、種々の異なる形態にて実施されてよいものである。本実施例においては、カード管理情報５０に登録する際に、獲得したパチンコ玉の残数を持玉数として記憶するよう説明した。
【０１２１】
しかしながら、本発明はこれに限られるものではない。そこで、以下では、カード管理情報５０の変形例について図１１を用いて説明する。図１１は、カード管理情報の一例を示す図である。
【０１２２】
同図（Ａ）に示すように、変形例にかかるカード管理情報は、カードＩＤに関連付けて、「引出元レート」項目が追加されている点で、図５に示したカード管理情報５０とは異なる。
【０１２３】
そして、あるカードＩＤの所定の「引出元レート」に対応付けられた持玉数を合算することで、「引出元レート」毎のレート毎管理数を算出することが可能となり、ビジターカードには、カードＩＤのみを記憶するだけでよい。
【０１２４】
たとえば、カードＩＤ７０１であるビジターカードを有する遊技者が２円遊技台で獲得した持玉数が２０００個、４円遊技台で獲得した持玉数が１０００個、さらに、４円遊技台で獲得した持玉数が２０００個であった場合について説明する。
【０１２５】
この場合、カード管理情報には、それぞれのパチンコ機３０で獲得した持玉数を同図（Ａ）の１行目〜３行目に示すように、パチンコ機３０毎に記憶される（同図の（１）参照）。その後、１円遊技台で再遊技を行う際、４円のレート毎管理数から引出して５００個払出を行ったとする。
【０１２６】
その際、４円のレート毎管理数から引出したので、「引出元レート」を「４円」と、「持玉数」には、払出した個数（５００個）を４円に換算し直した個数（１２５個）にマイナスを付加した値（−１２５個）を設定してカード管理情報に記憶する（同図の（２）参照）。
【０１２７】
そして、カードＩＤ７０１のビジターカードが、別のパチンコ機３０に挿入された際には、カード管理情報のカードＩＤ７０１である引出元レート毎に持玉数の合算することで、レート毎管理数を算出することができる。
【０１２８】
具体的には、引出元レートが２円の持玉数の合計値は２０００個となり、引出元レートが４円の持玉数の合計値は２８７５個（１０００個＋２０００個−１２５個）となる（同図の（３）参照）。
【０１２９】
このように、上述した変形例では、カード管理情報に、持玉数を獲得した場合には持玉数を記憶し、払出を行った場合には「引出元レート」と「−引出し個数」を持玉数として記憶するようにした。
【０１３０】
この場合、カード管理情報に基づいてレート毎管理数を算出することができるので、ビジターカードには、カードＩＤのみを記憶するだけでよく、レート毎管理数のようなカード情報を記憶しておく必要がなくなるので、ビジターカードのメモリの使用容量の軽減を図ることができる。
【０１３１】
また、上述した実施例では、カード管理情報５０に、台番号に対応するパチンコ機３０のレートを記憶するようにしたが、図１２に示すように、台番号に対応付けて、レートおよび機種名等を記憶する遊技台情報を管理装置２０に備えてもよい。
【０１３２】
この場合、カード管理情報の台番号に基づいて遊技台情報を検索できるようにして、台番号に対応するパチンコ機３０のレートを取得できることで、カード管理情報に「レート」項目をもつ必要もなく、管理装置２０の記憶容量を大幅に削減することができる。
【０１３３】
また、上述した実施例では、４円持玉、２円持玉および１円持玉とを併用した場合について説明したが、４円持玉および１円持玉というように、２種類以上のレートのパチンコ機３０を設けた遊技店で適用してもよい。
【０１３４】
また、上述した実施例では、店内システムのシステム構成で、全パチンコ機３０に各台計数方式を備える台間装置１０が併設されていたが、各台計数方式を備える台間装置１０を店内の一部に導入し、本発明を適用することとしてもよい。
【０１３５】
また、上述した実施例では、非会員の遊技者に発行されるビジターカードにレート毎管理数を記憶して、カード管理情報５０にはカードＩＤに基づいてカードに関する管理情報を記憶管理するようにしていた。
【０１３６】
しかし、会員カードにレート毎管理数を記憶して、会員カードに対応付けられた会員番号または会員カードのカードＩＤに基づいてカード管理情報５０に記憶管理してもよい。さらに、カード管理情報５０に、会員カードに関する管理情報とビジターカードに関する管理情報とを共存して記憶管理してもよい。この場合、会員に登録した遊技者に対しても、サービスの向上を図ることができる。
【０１３７】
また、上述した実施例では、非会員の遊技者に発行されるビジターカードにレート毎管理数を記憶して、カード管理情報５０にはカードＩＤに基づいてカードに関する管理情報を記憶管理するようにしていた。
【０１３８】
しかし、近年では、唯一の識別子をもつＦｅｌｉＣａ（登録商標）と呼ばれる、ＩＣ（Integrated  Circuit）チップを内蔵した携帯電話端末（以下、「おサイフケータイ（登録商標）」と記載する）が知られている。
【０１３９】
そこで、台間装置１０に遊技者の所有するおサイフケータイ（登録商標）機能をもつ携帯端末をかざすことによって、おサイフケータイ（登録商標）の識別子（以下、「ＩＤｍ」と記載する）を読み取る。
【０１４０】
そして、おサイフケータイ（登録商標）にレート毎管理数を記憶して、読み取ったＩＤｍに基づいてカード管理情報５０に記憶管理してもよい。さらに、カード管理情報５０に、おサイフケータイ（登録商標）に関する管理情報、会員カードに関する管理情報およびビジターカードに関する管理情報のうちいずれか共存して記憶管理してもよい。この場合、遊技店は会員カードやビジターカードを発行しなくてもよいため、会員カードやビジターカードの発行にかかるコストの大幅な削減を図ることができる。
【０１４１】
また、上述した実施例では、パチンコ機３０毎に設定されるレートを台間装置１０に記憶するようにしたが、管理装置２０に備える遊技台情報等に記憶してあるパチンコ機３０に対応付けられたレートを取得するようにしてもよい。
【０１４２】
また、上述した実施例では、異なるレート間でも台移動することについて記載してきたが、当然同レート間で行ういわゆる従来からの台移動についても同様に適用することができる。
【０１４３】
また、上述した実施例では、台移動を行う際の制限を加える一例を示したが、以下のようにすることで、同レート間または異レート間の台移動を行う際の制限を加えるようにすることもできる。
【０１４４】
たとえば、例１として、４円遊技台から１円遊技台への持玉による台移動を好まない遊技店であれば、持玉の利用可能玉数に制限（たとえば１０００玉）を設定する、手数料を取る（この場合は玉で取る）、あるいは、一切の４円遊技台で獲得した持玉の利用をできなくする等の対応を行えばよい。
【０１４５】
また、例２として、Ａという機種からＢという機種への台移動は制限なく許可するが、Ａという機種からＣという機種への台移動には、上記例１のような制限を設定するようにしてもよい。このようにすることで、フレキシブルな遊技店の運営に合わすことが可能になる。
【０１４６】
また、上述した実施例では、パチンコ遊技に適用する例を説明したが、パチスロ遊技を対象としてさらに含めた場合又はパチスロ遊技のみを対象とした場合にも同様に適用することができる。
【産業上の利用可能性】
【０１４７】
以上のように、本発明にかかる台間装置は、交換レートが異なる複数の遊技台コーナーを設ける遊技店で、非会員の一般遊技者が台移動を行って再遊技をしたい場合に有用であり、特に、遊技者がビジターカードによって台移動を行いたい場合や、遊技店の営業形態に合わせて台移動の可否を柔軟に変更したい場合に適している。
【符号の説明】
【０１４８】
１０    台間装置
２０    管理装置
１１    カード読取部
１２    操作部
１３    カード書込部
１４    玉計数部
１５    通信Ｉ／Ｆ
１６    記憶部
１６ａ  レート情報
１６ｂ  カード残額
１６ｃ  持玉数
１７    制御部
１７ａ  カード残額換算部
１７ｂ  払出処理部
１７ｃ  再遊技判定部
１７ｄ  終了処理部
２１    状態表示部
２２    紙幣挿入部
２３    リモコン受光部
２４    操作部／表示部
２５    持玉払出部
２６    カード挿入部
２８    玉貯留部
２９    表示部
３０    パチンコ機
３１    下皿
４０    島コントローラ
５０    カード管理情報
６０    精算機
７０    景品管理装置
８０    会員カード端末機
【図１】
0005384160.tif 000002
【図２】
0005384160.tif 000003
【図３】
0005384160.tif 000004
【図４】
0005384160.tif 000005
【図５】
0005384160.tif 000006
【図６】
0005384160.tif 000007
【図７】
0005384160.tif 000008
【図８】
0005384160.tif 000009
【図９】
0005384160.tif 000010
【図１０】
0005384160.tif 000011
【図１１】
0005384160.tif 000012
【図１２】
0005384160.tif 000013